(57)【要約】【課題】排水管を立ち上げ直す必要がなく、施工時間が短縮できて、良好なシール性を確保できるトイレのリフォーム構造及び方法を提供する。【解決手段】トイレの既存床１上に設置されている既設フランジ２上に、上方へ立ち上がる延長部材６を固設し、この延長部材６の上端には、中央に差込穴９ａを有するシール材９を設け、既存床１の上方に新規に設置した床板１２の上面より、新たなフランジ１５或いはソケットに垂設された差込筒部１５ａを、前記シール材９の差込穴９ａ内に差し込み接続して、トイレのリフォームを行う。【選択図】                図２
2004244818.tif 000002
【特許請求の範囲】
【請求項１】
トイレの既存床上に設置されている既設フランジ上に、上方へ立ち上がる延長部材を固設し、該延長部材の上端には、中央に差込穴を有するシール材を設け、
前記既存床の上方に新規に設置した床板の上面より、新たなフランジ或いはソケットに垂設された差込筒部を、前記シール材の差込穴内に差し込み接続したことを特徴とするトイレのリフォーム構造。
【請求項２】
トイレの既存床上に設置されている既設フランジに対し、差込穴を有するシール材を上端に備えた延長部材を覆設する工程と、
前記既存床の上方に新規に床板を設置する工程と、
前記延長部材のシール材の差込穴内に差し込み可能な差込筒部を備えた新たなフランジ或いはソケットを、前記新規の床板上に固設して、前記シール材の差込穴内に差込筒部を差し込み接続する工程を有するトイレのリフォーム方法。
【請求項３】
前記請求項２のトイレのリフォーム方法を施工する際に、前記既存床と新規に設置した床板間の寸法に対応させて、前記シール材に差し込むフランジ或いはソケットの差込筒部の高さ寸法を切断により調整することを特徴とするトイレのリフォーム方法。
【請求項４】
前記新たなフランジ或いはソケットに垂設された差込筒部の外径寸法が、前記既設フランジの内径寸法より小径に設定されていることを特徴とする請求項１に記載のトイレのリフォーム構造。
【発明の詳細な説明】
【０００１】
【発明の属する技術分野】
この発明は、トイレをリフォームする構造及び方法に関するものである。
【０００２】
【従来の技術】
従来、トイレ内をリフォームする際に、図１１に示すように、既設排水管Ｈを埋設した既存床１が、水洗い可能なタイル床面で構成されていたり、腐食等により強度が無い場合に、その上方に新しい床板１２を敷設して、この新しい床板１２上に便器接続用フランジ１５を取り付け、この便器接続用フランジ１５に新たな便器を接続するという方法がある。
【０００３】
【発明が解決しようとする課題】
しかし、このような方法でリフォームする場合、既存床１と新しい床板１２間の高さ寸法分だけ床面が高くなるため、便器接続用フランジ１５の差込筒部１５ａを良好に既設排水管Ｈに接続することができなくなり、既設排水管Ｈを立ち上げ直さなければならず、既設排水管Ｈを立ち上げ直す工事は、はつり等の工事を伴うなど、施工時間が増大し、施工に多大な労力が必要となってしまうという問題点があった。
【０００４】
なお、従来の便器の排水管接続構造として特許文献１に開示されているような構造がある。
【特許文献１】
実開平６−５３６７８号公報
【０００５】
【課題を解決するための手段】
本発明は、上記従来の問題点に鑑み案出したものであって、既設排水管を立ち上げ直す必要がなく、施工時間を短縮してトイレをリフォームできる構造および方法を提供せんことを目的とし、その第１の要旨は、トイレの既存床上に設置されている既設フランジ上に、上方へ立ち上がる延長部材を固設し、該延長部材の上端には、中央に差込穴を有するシール材を設け、前記既存床の上方に新規に設置した床板の上面より、新たなフランジ或いはソケットに垂設された差込筒部を、前記シール材の差込穴内に差し込み接続したことである。
【０００６】
また、第２の要旨は、トイレの既存床上に設置されている既設フランジに対し、差込穴を有するシール材を上端に備えた延長部材を覆設する工程と、前記既存床の上方に新規に床板を設置する工程と、前記延長部材のシール材の差込穴内に差し込み可能な差込筒部を備えた新たなフランジ或いはソケットを、前記新規の床板上に固設して、前記シール材の差込穴内に差込筒部を差し込み接続する工程を有するトイレのリフォーム方法としたことである。
【０００７】
また、第３の要旨は、前記請求項２のトイレのリフォーム方法を施工する際に、前記既存床と新規に設置した床板間の寸法に対応させて、前記シール材に差し込むフランジ或いはソケットの差込筒部の高さ寸法を切断により調整することとしたことである。
また、第４の要旨は、前記新たなフランジ或いはソケットに垂設された差込筒部の外径寸法が、前記既設フランジの内径寸法より小径に設定されていることである。
【０００８】
【発明の実施の形態】
以下、本発明の実施例を図面に基づいて説明する。
図１は、トイレをリフォームする際に用いられる構成部材の分解斜視図を示し、また図２では、施工途中の断面構成図を示す。
例えばタイル床で構成されたトイレの既存床１には、既設排水管Ｈが縦方向に埋設されており、その上端には既設フランジ２が接続されている。即ち、この既設フランジ２は、リフォームする前にトイレ内に設置されていた便器が接続されていたものであり、この既設フランジ２をそのまま残して、その上に延長部材６を固設するとともに、既存床１の上方に床板１２を設置して、リフォーム工事を行うものである。
【０００９】
既設フランジ２は、アンカーボルト３で既存床１に固定されており、この既設フランジ２には、既に今まで使用されていたＴボルト４，４が立設されており、このＴボルト４，４もそのまま残して使用するものである。
延長部材６は、このＴボルト４，４が挿通するＴボルト孔７ａ，７ａを有する覆蓋フランジ部７と、この覆蓋フランジ部７の中央部で上方に立ち上がる立上部８とで構成されている。
延長部材６の立上部８には、リング状の装着リング溝８ａが形成されており、この挿着リング溝８ａ内に、シール材９を差し込んで取り付けできるように構成されている。
シール材９はゴム製であり、延長部材６の立上部８に形成された挿着リング溝８ａ内に挿着される固定片９ｂと、この固定片９ｂの上端から略水平状に内側へ延びる当接片９ｃで構成されており、当接片９ｃの中央部には、上下に貫通して差込穴９ａが形成されている。
【００１０】
延長部材６の覆蓋フランジ部７は、既存床１の上に既設フランジ２を覆蓋するようにして固設することができるものである。
即ち、延長部材６の覆蓋フランジ部７は、既設フランジ２をすっぽりと覆蓋する形状に形成されており、覆蓋フランジ部７のＴボルト孔７ａ，７ａ内に、既設フランジ２側のＴボルト４，４を通して立ち上げ、このＴボルト４，４の上端に、ワッシャー１０を介在させてナット１１を締め付けることで、既設フランジ２に覆蓋状に延長部材６を固定することができるものである。
そして、この延長部材６の上端には、シール材９を取り付けておくことができるものである。
【００１１】
その後に、既存床１の上方に、床板１２を設置するのであるが、この床板１２は、例えば厚さ１２ｍｍ程度の合板１３と、その上面に重ね合わされる厚さ６ｍｍ程度の化粧板１４で構成されており、合板１３には、前記延長部材６の立上部８が貫通する貫通孔１３ａが貫通形成され、その側方にはＴボルト４，４が通るボルト通し孔１３ｂ，１３ｂが貫通形成されている。
また、化粧板１４にも、延長部材６の立上部８が通る貫通孔１４ａが形成されており、この貫通孔１４ａの外周側には、４個の木ネジ下孔１４ｂ，１４ｂ，１４ｂ，１４ｂが形成されている。
【００１２】
図２の断面図で示すように、既設フランジ２の上面にガスケット５を介在させて延長部材６を固設し、更に、既存床１の上方に新規の床板１２を設置し、その後、新規の床板１２の上方より、新たなフランジ１５を取り付けることができるものであり、新たなフランジ１５は、前述した既設フランジ２と同一の構造を有するものであり、既設フランジ２と同一のものを使用することができるものである。
この新たなフランジ１５は、中央部に垂下状に差込筒部１５ａが形成されており、差込筒部１５ａの上端外周には、フランジ部１５ｂが外方向に突出して一体形成されており、このフランジ部１５ｂには、左右対称にＴボルト１６，１６を通すことのできる長孔状のＴボルト孔１５ｃ，１５ｃが形成されており、更に、Ｔボルト孔１５ｃ，１５ｃの側方には、木ネジ１７を通す木ネジ孔１５ｄ，１５ｄ，１５ｄ，１５ｄが形成されている。また、フランジ１５には、ガスケット１８を載せる湾曲状のガスケット載置凹部１５ｅが形成されている。
【００１３】
なお、この新たなフランジ１５の図２における断面は、図３のフランジ１５の平面図におけるＡ−Ａ線断面を示すものである。
各木ネジ孔１５ｄ，１５ｄ，１５ｄ，１５ｄには、上方よりそれぞれ木ネジ１７が通されて、木ネジ１７は、新規な床板１２に締め込まれ、この木ネジ１７，１７，１７，１７により、新たなフランジ１５が新規な床板１２上に固定状に取り付けられるものである。この際に、新たなフランジ１５の差込筒部１５ａが、延長部材６の上端に取り付けられたシール部材９の差込穴９ａ内に差し込まれるものである。
その差し込んで設置した状態を図４の断面図で示す。
【００１４】
即ち、差込筒部１５ａは、シール材９の当接片９ｃを下側へ押し曲げつつ差し込まれるものであり、差込筒部１５ａの外周に当接片９ｃが当接して、良好なシール性が確保されるものである。
なお、新たなフランジ１５の差込筒部１５ａに傾きが生じていたり、偏りが生じている場合にも、このゴム製のシール材９により、良好に傾きや偏りを吸収することができ、差込筒部１５ａの外周にシール材９の当接片９ｃが良好に密着して、水漏れ等の生じない良好なシール性が確保されるものである。
【００１５】
この図４の状態から、新たなフランジ１５の上面には、図５の斜視図で示すような便器接続部材２０が取り付けられるものであり、便器接続部材２０は、新たなフランジ１５を覆蓋した状態で固定されるフランジ部２０ａと、フランジ部２０ａから横方向に延びる筒状のアジャスター部２０ｂと、その先端に接続されたソケット部２０ｃで構成されており、ソケット部２０ｃの上端に差込口２０ｄが形成されており、この差込口２０ｄ内に便器の排水口が挿入されて、便器が設置されるものである。
【００１６】
図６には、新たなフランジ１５の上方に便器接続部材２０のフランジ部２０ａが固定された状態の断面図を示す。
図６に示すように、新たなフランジ１５のＴボルト孔１５ｃ内に立ち上げられたＴボルト１６の上端に、ワッシャー２１を介在させてナット２２を締め付けることにより、便器接続部材２０のフランジ部２０ａが、新たなフランジ１５の上面にガスケット１８を介在させて覆蓋状に取り付けられるものである。
その後に、新たな便器が便器接続部材２０のソケット部２０ｃに接続されて、新規な床板１２上に新たな便器が設置され、リフォームが行われるものである。
【００１７】
なお、現場の状況やリフォーム条件により、前記新たな床板１２を構成する合板１３及び化粧板１４は、種々な形状や厚みのものが選択されて使用されるものであり、現場によっては、図７の断面図で示すように、既存床１と新たに設置される床板１２間の高さ寸法が大となる場合もあり、図７のような場合には、新たなフランジ１５の差込筒部１５ａは切断することなく、そのままの状態でシール材９の差込穴９ａ内に差し込まれて使用されるものであり、ある程度の長さは差し込み代の調整で対応できるものである。
【００１８】
即ち、図４のように、既存床１と新規な床板１２間の高さ寸法が比較的短い現場においては、新たなフランジ１５を取り付ける前に、既存床１と新規な床板１２間の高さ寸法に対応させて、差込筒部１５ａを適宜切断し、切断により差込筒部１５ａの高さ寸法を調整して、シール材９の差込穴９ａ内に差し込まれて施工されるものである。
このように施工の際に、新たなフランジ１５の差込筒部１５ａを切断して、その高さ寸法を調節することによって、様々な状態の床に対応することができるようになる。
【００１９】
次に、図８及び図９では、図４または図７のように新規な床板１２上に新たなフランジ１５を設けることなく、新規な床板１２上にソケット２５を固定したものである。
即ち、ソケット２５には、固定した前記延長部材６のシール材９の差込穴９ａ内に差し込み可能な、差込筒部２５ａが下端に垂設され、その外側にはフランジ部２５ｂが形成されており、更に上方へ立ち上げ形成されて、上端に、シール材２８が取り付けられた構造となっており、フランジ部２５ｂには、上方側から便器固定用木ネジ２６が通されて、木ネジ２６が新規な床板１２に締め付け固定され、この木ネジ２６の上端に、ワッシャーを介在させてナット２７が締め付けられることにより、新規な床面１２上にソケット２５が固定されて、この固定状態では、ソケット２５のフランジ部２５ｂにより、床板１２の貫通孔１４ａ，１３ａは、完全に覆蓋され、差込筒部２５ａの外周にシール材９の当接片９ｃが当接して、良好なシール性が確保されるものであり、この場合にも、ソケット２５の差込筒部２５ａに傾きや偏り等が生じていても、良好にゴム製のシール材９により、それを吸収して、良好なシール性が確保されるものである。
なお、このソケット２５を用いた場合には、そのソケット２５の上端のシール材２８内に、便器３０の排水口３０ａが差し込まれて、便器３０がソケット２５を隠蔽させた状態で新規な床板１２上に設置され、リフォームが行われるものである。
【００２０】
なお、図１０の断面図で示すものは変更例であり、図１０では、新たなフランジ１５の差込筒部１５ａの外径寸法が、既設フランジ２の差込筒部２ａの内径寸法より小径に設定されている場合である。
この場合は、新たなフランジ１５は、従来と同様なものではなく、差込筒部１５ａの寸法が小さく製作されたものであり、このような構造の新たなフランジ１５においては、差込筒部１５ａを切断して高さ調整を行う必要がなく、図１０のように、新たなフランジ１５の差込筒部１５ａを既設フランジ２の差込筒部２ａの内側に差し込んで、良好に接続できるものである。
従って、現場での切断作業が無くなり、より時間を短縮して施工することができるものとなる。
【００２１】
【発明の効果】
本発明のトイレのリフォーム構造は、トイレの既存床上に設置されている既設フランジ上に、上方へ立ち上がる延長部材を固設し、延長部材の上端には、中央に差込穴を有するシール材を設け、既存床の上方に新規に設置した床板の上面より、新たなフランジ或いはソケットに垂設された差込筒部を、シール材の差込穴内に差し込み接続したことにより、既設フランジに接続できる延長部材を設けることで、排水管を新規に立ち上げ直す必要がなくなり、施工時間を短縮させてリフォームできるものとなる。
また、差込筒部に傾きや偏りが生じていた場合にも、シール材によりこれを良好に吸収して、良好なシール性を確保できるものとなる。
また、便器を接続するための、フランジ或いはソケットの何れにでも対応して施工できるものとなる。
また、差込筒部を、シール材の差込穴内に差し込み接続するものであるため、ある程度は差し込み代の調整で、既存床と新規な床板間の高さ寸法に対応できるものとなる。
【００２２】
また、本発明のトイレのリフォーム方法は、トイレの既存床上に設置されている既設フランジに対し、差込穴を有するシール材を上端に備えた延長部材を覆設する工程と、既存床の上方に新規に床板を設置する工程と、延長部材のシール材の差込穴内に差し込み可能な差込筒部を備えた新たなフランジ或いはソケットを、新規の床板上に固設して、シール材の差込穴内に差込筒部を差し込み接続する工程としたことにより、排水管を新規に立ち上げ直す必要がなくなり、施工時間を短縮させてリフォームできるものとなる。
【００２３】
また、既存床と新規に設置した床板間の寸法に対応させて、シール材に差し込むフランジ或いはソケットの差込筒部の高さ寸法を切断により調整することとしたため、様々な状態の床に対応して、良好にリフォームできるものとなる。
【００２４】
また、新たなフランジ或いはソケットに垂設された差込筒部の外径寸法が、既設フランジの内径寸法より小径に設定されていることにより、既設フランジ内に差込筒部が呑み込まれるために、現場で切断する必要がなく、より施工が容易で、施工時間を短縮することができるものとなる。
【図面の簡単な説明】
【図１】トイレのリフォーム時に使用される構成部材の分解斜視図である。
【図２】既設フランジに延長部材を固定し、その上方に新規に床板を設置し、更に上方より新たなフランジを取り付ける前の分解断面構成図である。
【図３】新たなフランジの平面構成図である。
【図４】新たなフランジを新規の床板上に設置した状態の断面構成図である。
【図５】新規な床板上に設置される便器接続部材の斜視構成図である。
【図６】便器接続部材を新たなフランジ上に固定した状態の断面構成図である。
【図７】新規な床板１２の仕上り高さが高い場合の施工状態の断面構成図である。
【図８】新たなフランジ上に取り付けられるソケットの斜視構成図である。
【図９】ソケットを延長部材に接続し、更にソケットの上端に、便器排水口を接続した状態の断面構成図である。
【図１０】差込筒部の径の小さいフランジを用いた場合の施工断面構成図である。
【図１１】従来、リフォームする場合、既存床と新しい床板間の高さ寸法分だけ床面が高くなるため、既設排水管を立ち上げ直さなければならないことを説明する説明図である。
【符号の説明】
１    トイレの既存床
２    既設フランジ
２ａ    差込筒部
３    アンカーボルト
４    Ｔボルト
５    ガスケット
６    延長部材
７    覆蓋フランジ部
７ａ    Ｔボルト孔
８    立上部
８ａ    挿着リング溝
９    シール材
９ａ    差込穴
９ｂ    固定片
９ｃ    当接片
１０    ワッシャー
１１    ナット
１２    床板
１３    合板
１３ａ    貫通孔
１３ｂ    ボルト通し孔
１４    化粧板
１４ａ    貫通孔
１４ｂ    木ネジ下孔
１５    新たなフランジ
１５ａ    差込筒部
１５ｂ    フランジ部
１５ｃ    Ｔボルト孔
１５ｄ    木ネジ孔
１５ｅ    ガスケット載置凹部
１６    Ｔボルト
１７    木ネジ
１８    ガスケット
２０    便器接続部材
２０ａ    フランジ部
２０ｂ    アジャスター部
２０ｃ    ソケット部
２０ｄ    差込口
２１    ワッシャー
２２    ナット
２５    ソケット
２５ａ    差込筒部
２５ｂ    フランジ部
２６    便器固定用木ネジ
２７    ナット
２８    シール部材
３０    便器
３０ａ    便器排水口
【図１】
2004244818.tif 000003
【図２】
2004244818.tif 000004
【図３】
2004244818.tif 000005
【図４】
2004244818.tif 000006
【図５】
2004244818.tif 000007
【図６】
2004244818.tif 000008
【図７】
2004244818.tif 000009
【図８】
2004244818.tif 000010
【図９】
2004244818.tif 000011
【図１０】
2004244818.tif 000012
【図１１】
2004244818.tif 000013